(57)【要約】  良好な性能を得るためにセル再選択を実行するための技術を開示する。本開示の態様では、ユーザ機器(UE)は、良好な性能を提供するために定義された1つまたは複数のパフォーマンスベースの適合性基準を適用することによりセルに対するセル再選択を実行する。ある設計では、UEは、セル(たとえば、フェムトセル)に対する測定値を得ると共に、セルに対する閾値を決定する。閾値は、ワイヤレスシステムによってブロードキャストされない。UEは、セルからの物理チャネル(たとえば、ページインジケータチャネル)に対する目標性能に基づき閾値を決定する。UEは、セルに対する測定値および閾値に基づきセルに対する適合性基準を決定する。UEは、セルが適切なセルであるか否かを判定すると共に、少なくとも適合性基準に基づきセルに対するセル再選択を実行するか否かを決定する。
2016511616.tif 000002
【特許請求の範囲】
【請求項１】
ワイヤレス通信のための方法であって、
ユーザ機器(UE)によってセルに対する測定値を得るステップと、
前記UEによって前記セルに対する閾値を決定するステップであって、前記閾値が、ワイヤレスシステムによってブロードキャストされないステップと、
前記セルに対する前記測定値および前記閾値に基づき前記セルに対する適合性基準を決定するステップと、
少なくとも前記適合性基準に基づき前記セルに対するセル再選択を実行するか否かを決定するステップと、
を含む、方法。
【請求項２】
前記閾値を決定する前記ステップが、前記UEにより受信された物理チャネルに対する目標性能に基づき前記閾値を決定するステップを含む、請求項1に記載の方法。
【請求項３】
前記閾値を決定する前記ステップが、ページインジケータチャネル(PICH)に対する目標誤警報確率に基づき前記閾値を決定するステップを含む、請求項1に記載の方法。
【請求項４】
前記測定値および前記閾値が、前記UEにより受信された物理チャネルに対する目標性能に基づきパイロットチャネルに対して決定される、請求項1に記載の方法。
【請求項５】
前記測定値を得る前記ステップが、前記セルに対する前記測定値に対応するパイロットチャネルの受信信号品質を測定するステップを含み、
前記閾値を決定する前記ステップが、前記セルに対する前記閾値に対応するパイロットチャネルに対する最低受信信号品質を決定するステップを含み、かつ
前記セルに対する前記適合性基準を決定する前記ステップが、前記パイロットチャネルの前記測定された受信信号品質および前記パイロットチャネルに対する前記最低受信信号品質に基づき、前記セルに対する前記適合性基準を決定するステップを含む、
請求項1に記載の方法。
【請求項６】
前記パイロットチャネルに対する前記最低受信信号品質を決定する前記ステップが、前記UEによって受信された物理チャネルに対する少なくとも1つのパラメータに基づき、前記パイロットチャネルに対する前記最低受信信号品質を決定するステップを含む、請求項5に記載の方法。
【請求項７】
前記物理チャネルに対する前記少なくとも1つのパラメータが、前記パイロットチャネルの送信電力と前記UEによって受信された前記物理チャネルの送信電力との間の差を含む、請求項5に記載の方法。
【請求項８】
前記物理チャネルに対する前記少なくとも1つのパラメータが、前記セルに対する前記UEの推定ジオメトリを含む、請求項5に記載の方法。
【請求項９】
前記UEによって受信された前記物理チャネルが、ページインジケータチャネル(PICH)を含む、請求項5に記載の方法。
【請求項１０】
前記物理チャネルに対する前記少なくとも1つのパラメータが、前記PICHに対する目標誤警報確率を含む、請求項9に記載の方法。
【請求項１１】
前記物理チャネルに対する前記少なくとも1つのパラメータが、前記PICH上で送信されたページインジケータのビット数を含む、請求項9に記載の方法。
【請求項１２】
1つの無線フレーム内で前記PICH上に送信されるページインジケータの最小数に基づきページインジケータに対する前記ビット数を決定するステップ
をさらに含む、請求項11に記載の方法。
【請求項１３】
前記閾値を決定する前記ステップが、
前記UEにより受信された物理チャネルの目標性能を得るためにパイロットチャネルに対する最低受信信号品質を決定するステップと、
前記セルから受信したシステム情報から前記セルに対する最低要求品質レベルを決定するステップと、
前記パイロットチャネルに対する前記最低受信信号品質および前記セルに対する前記最低要求品質レベルに基づき前記閾値を決定するステップと、
を含む、請求項1に記載の方法。
【請求項１４】
前記ワイヤレスシステムによりブロードキャストされた少なくとも1つの閾値を受信するステップと、
前記少なくとも1つの閾値に基づき前記セルに対する少なくとも1つの付加的な適合性基準を決定するステップと、
さらに前記少なくとも1つの付加的な適合性基準に基づき前記セルに対するセル再選択を実行するか否かを決定するステップと、
をさらに含む、請求項1に記載の方法。
【請求項１５】
前記少なくとも1つの閾値が、前記セルに対する最小要求品質レベルに対応する第2の閾値、または前記セルに対する最小要求受信レベルに対応する第3の閾値、またはその両方を含む、請求項14に記載の方法。
【請求項１６】
前記セルが、Closed  Subscriber  Group(CSG)内の少なくとも1つのUEに対する通信をサポートしているフェムトセルを含む、請求項1に記載の方法。
【請求項１７】
ワイヤレス通信のための装置であって、
ユーザ機器(UE)によってセルに対する測定値を得て、
前記UEによって前記セルに対する閾値を決定し、前記閾値が、ワイヤレスシステムによってブロードキャストされず、
前記セルに対する前記測定値および前記閾値に基づき前記セルの適合性基準を決定し、かつ
少なくとも前記適合性基準に基づき前記セルに対するセル再選択を実行するか否かを決定する、
ように構成された少なくとも1つのプロセッサ、
を含む、ワイヤレス通信のための装置。
【請求項１８】
前記少なくとも1つのプロセッサが、ページインジケータチャネル(PICH)に対する目標誤警報確率、または前記PICH上で送信されるページインジケータに対するビット数、またはパイロットチャネルの送信電力と前記PICHの送信電力との間の差、またはこれらの組合せ、に基づき前記閾値を決定するように構成される、請求項17に記載の装置。
【請求項１９】
前記少なくとも1つのプロセッサが、前記UEにより受信された物理チャネルに対する目標性能に基づきパイロットチャネルに対する前記測定値および前記閾値を決定するように構成される、請求項17に記載の装置。
【請求項２０】
前記少なくとも1つのプロセッサが、
前記セルに対する前記測定値に対応する、パイロットチャネルの受信信号品質を測定し、
前記セルに対する前記閾値に対応する、前記パイロットチャネルに対する最低受信信号品質を決定し、かつ
前記パイロットチャネルの前記測定された受信信号品質および前記パイロットチャネルに対する前記最低受信信号品質に基づき、前記セルに対する前記適合性基準を決定する、
ように構成される、請求項17に記載の装置。
【請求項２１】
ワイヤレス通信のための装置であって、
ユーザ機器(UE)によってセルに対する測定値を得るための手段と、
前記UEによって前記セルに対する閾値を決定するための手段であって、前記閾値が、ワイヤレスシステムによってブロードキャストされない手段と、
前記セルに対する前記測定値および前記閾値に基づき前記セルに対する適合性基準を決定するための手段と、
少なくとも前記適合性基準に基づき前記セルに対するセル再選択を実行するか否かを決定するための手段と、
を含む、ワイヤレス通信のための装置。
【請求項２２】
前記閾値を決定するための前記手段が、ページインジケータチャネル(PICH)に対する目標誤警報確率、または前記PICH上で送信されるページインジケータに対するビット数、またはパイロットチャネルの送信電力と前記PICHの送信電力との間の差、またはこれらの組合せ、に基づき前記閾値を決定するための手段を含む、請求項21に記載の装置。
【請求項２３】
前記測定値および前記閾値が、前記UEによって受信された物理チャネルに対する目標性能に基づきパイロットチャネルに対して決定される、請求項21に記載の装置。
【請求項２４】
前記測定値を得るための前記手段が、前記セルに対する前記測定値に対応する、パイロットチャネルの受信信号品質を測定するための手段を含み、前記閾値を決定するための前記手段が、前記セルに対する前記閾値に対応する、前記パイロットチャネルに対する最低受信信号品質を決定するための手段を含み、かつ前記セルに対する前記適合性基準を決定するための前記手段が、前記パイロットチャネルの前記測定された受信信号品質および前記パイロットチャネルに対する前記最低受信信号品質に基づき前記セルに対する前記適合性基準を決定するための手段を含む、請求項21に記載の装置。
【請求項２５】
不揮発性のコンピュータ可読媒体を含む、コンピュータプログラム製品であって、
不揮発性のコンピュータ可読媒体が、
少なくとも1つのプロセッサに、ユーザ機器(UE)によってセルに対する測定値を得させるためのコードと、
前記少なくとも1つのプロセッサに、前記UEによって前記セルに対する閾値を決定させるためのコードであって、前記閾値が、ワイヤレスシステムによってブロードキャストされないコードと、
前記少なくとも1つのプロセッサに、前記セルに対する前記測定値および前記閾値に基づき前記セルに対する適合性基準を決定させるためのコードと、
前記少なくとも1つのプロセッサに、少なくとも前記適合性基準に基づき前記セルに対するセル再選択を実行するか否かを決定させるためのコードと、
を含む、コンピュータプログラム製品。
【発明の詳細な説明】
【技術分野】
【０００１】
本開示は、一般には通信に関し、より具体的には、ワイヤレス通信システムにおけるセル再選択を実行するための技術に関する。
【背景技術】
【０００２】
ワイヤレス通信システムは、音声、ビデオ、パケットデータ、メッセージング、放送などといった、様々な通信コンテンツを提供するために幅広く展開されている。これらのワイヤレスシステムは、利用可能なシステム資源を共有することにより複数のユーザをサポートすることができる多元接続システムであり得る。このような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリアFDMA(SC-FDMA)システムを含む。
【０００３】
ワイヤレス通信システムは、複数のセルを含むことができる。ここで、用語「セル」は、基地局のカバーエリアおよび/またはカバーエリアにサービスを提供する基地局サブシステムを指すことができる。ユーザ機器(UE)は、ダウンリンクおよびアップリンクを介してセルと通信することができる。ダウンリンク(または順方向リンク)は、セルからUEへの通信リンクを指し、またアップリンク(または逆方向リンク)は、UEからセルへの通信リンクを指す。
【０００４】
電源が入れられたばかり、またはサービス区域を外れたUEは、UEが通信サービスを受けることができる適切なセルを探索することができる。適切なセルが見つかった場合、必要に応じて、UEは、セルを介してワイヤレスシステムへの登録を実行することができる。UEが休止モードにあり、かつセルと能動的に通信していない場合、UEは、セルに「キャンプ」することができる。キャンピングは、UEが、システム情報およびページング情報についてセルを監視する処理である。UEがキャンプするセルは、サービングセルと呼ばれる。
【０００５】
UEは、1つまたは複数のワイヤレスシステム内の複数のセルのサービス範囲内にある可能性がある。UEは、サービングセルにキャンプするまたはサービングセルと通信することができ、かつUEにサービスを提供できるより適切なセルを検出するために他のセルについて周期的に測定を行うことができる。より適切なセルが見つかった場合、UEは、このセルに対するセル再選択を実行する。ワイヤレス通信において、「セル再選択」は、一般に、UEにサービスを提供するために別のセルを選択することを指す一方、「セル選択」は、通常、UEにサービスをするための初期セルの選択を指す。セル再選択は、UEが休止モードで動作している場合にはUEによって、またUEが接続モードで動作している場合にはワイヤレスシステムによって始動され得る。
【発明の概要】
【発明が解決しようとする課題】
【０００６】
UEに対する良好な性能を得るために効率的な方法でセル再選択を実行することが望まれるであろう。
【課題を解決するための手段】
【０００７】
良好な性能を獲得するためのセル再選択を実行するための技術が本明細書で開示される。本開示の態様では、UEは、セルがUEにサービスを提供するために選択される場合に、UEに対して良好な性能を提供するために定義され得る、1つまたは複数のパフォーマンスベースの適合性基準を適用することにより、セル(たとえば、フェムトセル)に対してセル再選択を実行することができる。パフォーマンスベース適合性基準は、UEによってセルから受信される1つまたは複数の物理チャネルまたは信号に対する目標性能に基づき定義され得る。セル再選択のための1つまたは複数のパフォーマンスベース適合性基準の使用は、UEがセルを再選択する場合に1つまたは複数の物理チャネルまたは信号に対する目標性能を達成し得ることを保証できる。
【０００８】
ある設計では、セル(たとえば、フェムトセル)に対する測定値を取得することができる。UEはまた、セルに対する閾値を決定する。閾値は、ワイヤレスシステムによりブロードキャストされず、かつワイヤレスシステムとは独立にUEにより決定され得る。UEは、セルに対する測定値および閾値に基づきセルに対する適合性基準を決定することができる。次いで、UEは、セルが適切なセルであるか否かを決定し、また、少なくとも適合性基準に基づきセルに対してセル再選択を実行するか否かを決定することができる。
【０００９】
ある設計では、UEは、UEによりセルから受信されるべき物理チャネルに対する目標性能に基づき閾値を決定することができる。たとえば、UEは、ページインジケータチャネル(PICH)に対する目標誤警報確率に基づき閾値を決定することができる。ある設計では、UEは、PICHに対する目標処理能力に基づきパイロットチャネルの測定値および閾値を決定することができる。たとえば、UEは、パイロットチャネルの受信信号品質を測定することができる。UEはまた、PICHに関する少なくとも1つのパラメータに基づきパイロットチャネルに対する最低受信信号品質を決定することができ、この最低受信信号品質は、パイロットチャネルの送信電力とPICHの送信電力との差異、PICH上で送信されるページインジケータのビット数、などを含むことができる。UEは、パイロットチャネルの測定された受信信号品質およびパイロットチャネルに対する最低受信信号品質に基づきセルに対する適合性基準を決定することができる。
【００１０】
UEはまた、ワイヤレスシステムから受信した少なくとも1つの閾値に基づきセルに対する付加的な適合性基準を決定することができる。次いで、UEは、さらに少なくとも1つの付加的な適合性基準に基づきセルに対するセル再選択を実行するか否かを決定することができる。
【００１１】
本開示の様々な態様および特徴は、以下にさらに詳細に説明される。
【図面の簡単な説明】
【００１２】
【図１】ワイヤレス通信システムを示す図である。
【図２】PICHのフォーマットを示す図である。
【図３】セル再選択を実行するプロセスを示す図である。
【図４】基地局およびUEの設計のブロック図を示す。
【図５】基地局およびUEの別の設計のブロック図を示す。
【発明を実施するための形態】
【００１３】
本明細書で説明される技術は、CDMA、TDMA、FDMA、OFDMA、SC-FDMAおよびその他のワイヤレスシステムなどの、様々なワイヤレス通信システムに使用され得る。用語「システム」および「ネットワーク」は、しばしばほぼ同じ意味で使用される。CDMAシステムは、ユニバーサル地上無線アクセス(UTRA)、cdma2000などの無線技術を実装することができる。UTRAは、広帯域CDMA(WCDMA(登録商標))、時分割同期CDMA(TD-SCDMA)、およびその他のCDMAの変形を含む。cdma2000は、IS-2000、IS-95およびIS-856標準を含む。TDMAシステムは、グローバル移動体通信システム(GSM(登録商標))などの無線技術を実装することができる。OFDMAシステムは、進化型UTRA(E-UTRA)、ウルトラモバイルブロードバンド(UMB)、IEEE  802.1  1(Wi-FiおよびWi-Fiダイレクト)、IEEE  802.16(WiMAX)、IEEE  802.20、フラッシュOFDM(登録商標)などの無線技術を実装することができる。UTRA、E-UTRAおよびGSM(登録商標)は、ユニバーサル移動体通信システム(UMTS)の一部である。3GPPロングタームエボリューション(LTE)およびLTEアドバンスト(LTE-A)は、周波数分割複信(FDD)および時分割複信(TDD)の両方において、ダウンリンク上でOFDMAを、またアップリンク上でSC-FDMAを用いるE-UTRAを使用するUMTSの最新リリースである。UTRA、E-UTRA、GSM(登録商標)、UMTS、LTE  およびLTE-Aは、「第3世代パートナーシッププロジェクト」(3GPP)という名称の組織からの文書に記載されている。cdma2000およびUMBは、「第3世代パートナーシッププロジェクト2」(3GPP2)からの文書に記載されている。本明細書で説明される技術は、上記のワイヤレスシステムおよび無線技術、ならびにその他のワイヤレスシステムおよび無線技術に使用され得る。明確にするために、技術のある態様は、以下にWCDMA(登録商標)に関して説明され、またWCDMA(登録商標)技術は、以下の説明の多くで使用される。
【００１４】
図1は、WCDMA(登録商標)システムまたはいくつかの他のワイヤレスシステムであり得る、ワイヤレス通信システム100を示す。ワイヤレスシステム100は、いくつかのノードB  110、114および116ならびにその他のネットワークエンティティを含むことができる。ノードBは、UEおよびリレーと通信できるエンティティであり、また、基地局、進化型ノードB(eNB)、アクセスポイントなどとも呼ばれ得る。ノードBは、特定の地理的領域に対して通信カバレッジを提供し、かつカバレッジエリア内に位置するUEに対する通信をサポートする。システム容量を改善するために、ノードBの全カバレッジエリアは、複数のより小さい領域(たとえば、3つ)に分割され得る。各々のより小さい領域は、それぞれのノードBサブシステムによりサービスを受けられ得る。3GPPでは、用語「セル」は、ノードBのカバレッジエリアおよび/またはこのカバレッジエリアにサービスを提供するノードBサブシステムを指すことができる。ノードBは、1つまたは複数の(たとえば、3つの)セルをサポートする。
【００１５】
ノードBは、マクロセル、ピコセル、フェムトセルおよび/または何らかの他の形式のセルに対して通信カバレッジを提供することができる。マクロセルは、比較的大きい地理的領域(たとえば、半径数キロメータ)をカバーすることができ、サービスへの加入でUEによる無制限のアクセスが可能となり得る。ピコセルは、比較的小さい地理的領域をカバーすることができ、サービスへの加入でUEによる無制限のアクセスが可能となり得る。フェムトセルは、比較的小さい地理的領域(たとえば、家庭、アパート、店舗等)をカバーすることができ、フェムトセルに関連したUE(たとえば、Closed  Subscriber  Group  (CSG)内のUE)による限定されたアクセスが可能となり得る。フェムトセルはまた、CSGセルとも呼ばれ得る。図1に示された例では、ワイヤレスシステム100は、3つのマクロセル112a、112bおよび112cのためのマクロノードB  110、ピコセル124のためのピコノードB  114、およびフェムトセル126のためのホームノードB  116を含む。システムコントローラ140は、一組のノードBに結合され、これらのノードBに対する調整および制御を提供することができる。
【００１６】
ワイヤレスシステム100はまた、リレーを含むことができる。リレーは、アップストリーム局(たとえば、ノードBまたはUE)からの伝送データおよび/またはその他の情報を受信し、かつダウンストリーム局(たとえば、UEまたはノードB)への伝送データおよび/またはその他の情報を送信することができるエンティティであり得る。リレーはまた、他のUEへの伝送の中継ができるUEであってもよい。図1では、リレー120は、ノードB  110とUE  130との間の通信を容易にするために、ノードB  110およびUE  130と通信することができる。
【００１７】
UE130からUE136は、ワイヤレスシステム全体に分散され得て、また、各UEは、固定またはモバイルであり得る。UEはまた、モバイル局、端末、アクセス端末、加入者装置、局などと呼ばれ得る。UEは、携帯電話、スマートフォン、タブレット、ワイヤレス通信デバイス、携帯情報端末(PDA)、ワイヤレスモデム、携帯デバイス、ラップトップコンピュータ、コードレス電話、ワイヤレス・ローカル・ループ(WLL)局、ネットブック、スマートブックなどであり得る。UEは、ノードB、リレー、他のUEと通信することができる。
【００１８】
電源投入により、UEは、UEが通信サービスを受けることができるワイヤレスシステムを探索することができる。少なくとも1つのワイヤレスシステムが検出されと、1つのワイヤレスシステムが、UEにサービスを提供するために選択され得て、サービス提供システムと呼ばれ得る。UEは、必要であれば、サービス提供システムへの登録を実行することができる。次いで、UEは、サービス提供ネットワークと能動的に通信するために接続モードで動作することができる。あるいは、UEは、能動的な通信がUEにより求められていない場合、アイドルモードで動作し、かつサービス提供システムにキャンプすることができる。
【００１９】
UEは、アイドルモードで動作し、かつ、第1の周波数上で、サービス提供セルにキャンプすることができる。アイドルモードであっても、UEは、第1の周波数とは異なる第2の周波数上で、フェムトセルを検出することができる。検出されたフェムトセルは、UEを含むCSGを有している可能性がある。検出されたフェムトセルのCSG識別子(ID)は、UEのホワイトリスト内にあり得る。UEは、検出されたフェムトセルが第2の周波数上で最も強ければ、現在のサービス提供セルに対して適用可能なセル再選択規則に拘らず、このフェムトセルに対して再選択を要求することができる。この動作は、3GPP  TS  25.304に定義されているように、WCDMA(登録商標)標準により規定され得る。しかしながら、フェムトセルは、第2の周波数上で唯一のセルであり、かつ非常に弱い可能性がある。このフェムトセルへの再選択は、UEが呼に携わるとき、UEに対する性能が不足するという結果をもたらす恐れがある。
【００２０】
UEは、良好な性能を提供するために定義され得る、1つまたは複数の適合性基準に基づきセル再選択を実行することができる。WCDMA(登録商標)においては、セルの適合性は、以下の適合性パラメータに基づき決定され得る。
Squal  =  Qqualmeas  -  Qqualmin  および    式(1)
Srxlev  =  Qrxlevmeas  -  Qrxlevmin  -  Pcompensation    式(2)
ここで、Qqualmeasは、セルに対してUEにおいて測定された品質値、
Qqualminは、セルに対する最低要求品質値、
Squalは、セルに対するセル再選択品質値、
Qrxlevmeasは、セルに対してUEにおいて測定された受信レベル、
Qrxlevminは、セルに対しての最低要受信レベル、
Pcompensationは、補正係数であり、かつ
Srxlevは、セルに対するセル再選択受信レベル値である。
【００２１】
Qqualmeasは、UEにおける受信信号の測定品質を表し、セルにより伝送されるパイロットに基づき決定され得る。たとえば、WCDMA(登録商標)において、Qqualmeasは、周波数分割複信(FDD)に基づき動作するセルにより送信される共通パイロットチャネル(CPICH)の帯域内の電力密度で割ったチップあたりの受信エネルギー(Ec/No)と表現され得る。CPICHのEc/Noは、セルに対するより信頼性の高い測定品質値を得るために平均化され得る。
【００２２】
Qrxlevmeasは、セルに対してUEにおいて測定された受信信号レベルを表す。たとえば、WCDMA(登録商標)においては、Qrxlevmeasは、(i)FDDに基づき動作するセルにより送信されるCPICHの受信信号コード電力(RSCP)、または(ii)時分割複信(TDD)に基づいて動作するセルにより送信される一次共通制御物理チャネル(P-CCPH)のRSCPにより与えられ得る。
【００２３】
Pcompensationは、補正係数であり、次式で与えられ得る。
Pcompensation  =  max{UE_TXPWR_MAX_RACH  -  P_MAX,0}    式(3)
ここで、UE_TXPWR_MAX_RACHは、ランダムアクセスチャネル(RACH)に対するUEの最大送信電力であり、また、
P_MAXは、UEの最大送信電力である。
【００２４】
式(1)から式(3)において、QqualmeasおよびQrxlevmeasは、セルに対してUEにより測定され得る。QqualminおよびQrxlevminは、ワイヤレスシステムにより、たとえば、WCDMA(登録商標)におけるシステム情報ブロックタイプ3(SIB3)の中でブロードキャストされ得る閾値である。UE_TXPWR_MAX_RACHもまた、ワイヤレスシステムによりブロードキャストされ得る。Qqualmeas、Qqualmin、Pcompensation、SqualおよびSrxlevはデシベル(dB)単位で与えられ得る。Qrxlevmeas、Qrxlevmin、UE_TXPWR_MAX_RACHおよびP_MAXは、1ミリワットと比べた(dBでの)測定電力の電力比である、dBmの単位で与えられ得る。
【００２５】
次の適合性基準の両者が満足される場合、セルは適切なセルと見なされ得る。
(Squal  >  0)  および    式(4)
(Srxlev  >  0)      式(5)
【００２６】
式(4)および式(5)に示される適合性基準に対して、ワイヤレスシステムにより構成される、セルのCPICH  Ec/IoおよびRSCPは、セルが適切なセルであると見なされ、UEの新しいサービス提供セルとして再選択に適格であるために、適用可能な閾値よりも大きくなければならない。適合性基準は、UEの現在のサービス提供セルによりブロードキャストされ得る、隣接セルリスト(NCL)内のセルに適用され得る。
【００２７】
式(4)および式(5)内の適合性基準は、マクロセルが適切なセルであるか否かを判定するために使用され得る。式(4)および式(5)内の適合性基準はまた、フェムトセルが適切なセルであるか否かを判定するためにも使用され得る。このことは、適合性基準が隣接セルリスト内のすべてのセルに対して適用可能であり得ることから、サービス提供セルの隣接セルリスト内にフェムトセルを置くことにより達成することができる。
【００２８】
ワイヤレスシステムは、QqualminおよびQrxlevminに対して非常に低い/控えめな値をブロードキャストすることができる。この場合、フェムトセルが適合性基準を満足していたとしても、UEは、フェムトセルを介した通信に対して性能不足をきたす可能性がある。さらに、フェムトセルは、隣接セルリストに含まれなくともよく、またどのような適合性基準がフェムトセルに適用可能であるかが、明確ではない可能性がある。この場合、システム情報から得られたQqualminが、フェムトセルの適合性を判定するために使用され得る。
【００２９】
本開示の態様では、UEは、UEに対して良好な性能を提供するために定義された1つまたは複数のパフォーマンスベースの適合性基準を適用することにより、セル(たとえば、フェムトセルまたはある種の他の種類のセル)に対して再選択を実行することができる。このことにより、UEが良好なセルを再選択することを保証することができる。パフォーマンスベース適合性基準は、様々な方法で定義され得る。ある設計では、パフォーマンスベース適合性基準は、セルからUEにより受信されるべき1つまたは複数の物理チャネルまたは信号に対する目標性能に基づき定義され得る。このことは、UEがセルを再選択する場合、1つまたは複数の物理チャネルまたは信号に対する目標性能を獲得できることを保証し得る。パフォーマンスベース適合性基準は、異なるワイヤレスシステムおよび異なる無線技術に対して異なる方法で定義され得る。
【００３０】
ある設計では、パフォーマンスベース適合性基準は、ページインジケータチャネル(PICH)に対する目標性能に基づき定義され得る。PICHは、ページメッセージがページングチャネル(PCH)上でUEに送信されるときは常に(たとえば、「1」に)セットされ得るページインジケータを搬送する。
【００３１】
図2は、WCDMA(登録商標)におけるPICHのフォーマットを示す。伝送タイムラインは、無線フレームの単位に分割される。各無線フレームは、10ミリ秒(ms)の持続時間を有し、12ビットのシステムフレーム番号(SFN)により識別される。各無線フレームは、15個のスロットを含んでおり、各スロットは2560チップを含み、また各チップは1/3.84マイクロ秒(μs)の持続時間を有する。
【００３２】
PICH上での1つの無線フレームでの伝送は、PICHフレームと呼ばれる。図2に示すように、PICHフレームは、b0からb299までの300ビットを含む。b0からb287までの最初の288ビットは、Np個のページインジケータとして使用され、最後の12ビットは、他の用途のために予約されている。Npは、1つのPICHサブフレーム内のページインジケータの数を表し、かつ構成可能である。Npは、SIB  Type  5  (SIB5)内で搬送され得て、18、36、72または144であってもよい。各ページインジケータは、1つのPICHフレーム内の288/ Npの連続したビット内で送られ、288/Npは16、8、4または2と等しくてもよい。ページインジケータのための288/Npビットは、すべて、(i)ページインジケータが1に等しい場合、1に、または(ii)ページインジケータが「0」に等しい場合「0」に設定される。各PICHフレームは、3スロット遅延している対応したPCHフレームと関連付けられる。ページメッセージは、(i)PICHフレーム内のこれらのUEに対するページインジケータを設定すること、および(ii)3スロット後に関連するPCHフレーム内でこれらのUEにページメッセージを送信すること、によりUEに送信される。PCHは、二次共通制御物理チャネル(S-CCPCH)内で送信され得る。
【００３３】
CDMA  1Xシステムなどの、他のワイヤレスシステムは、1つの物理チャネル上でページインジケータを、また別の物理チャネル上でページメッセージを送信するという類似の概念を使用することができる。ページインジケータおよびページメッセージ用の物理チャネルは、他のワイヤレスシステムでは他の名前で呼ばれ得る。ページインジケータおよびページメッセージはまた、他の方法でも送られてもよい。
【００３４】
UEは、WCDMA(登録商標)システムに登録することができ、かつUEがWCDMA(登録商標)システム内のいずれのセルとも能動的にデータを交換していない場合には、アイドルモードで動作することができる。アイドルモードでは、UEは、ページメッセージがPCH上でUEに対して送信されているか否かを判定するために、PICH上で自UEのページインジケータを周期的に確認することができる。UEに対するページインジケータが設定されている場合、UEは、UEに送信された何らかのページメッセージを確認するために、PCHを処理することができる。UEは、より迅速にPICHを検出し、かつ、通常、ページメッセージがUEに送信されていることをPICHが示している場合にのみ、PCHを処理することができる。
【００３５】
ある設計では、パフォーマンスベース適合性基準は、PICHに対する目標性能であり得る、目標誤警報確率PFA-targetを伴うPICHを、UEが確実に検出することができるように定義され得る。誤警報確率PFA-targetは、PICHに対する一定の最低受信信号品質を用いて達成され得る。受信信号品質は、信号対雑音比(SNR)により(以下の説明の多くで想定されるように)、またはある種の他の量またはメトリックにより定量化され得る。UEは、PICHのSNRが最小SNRより大きいか等しい場合、PICHに対する目標誤警報確率PFA-targetを達成することができる。
【００３６】
一般に、物理チャネル(たとえば、制御チャネルまたはデータチャネル)の最小SNRは、物理チャネルの様々なパラメータに依存し得る。たとえば、PICHの最小SNRは、総雑音および干渉対総受信電力比(Nt/Io)、1つのPICHサブフレーム内のページインジケータの数(Np)、およびPICHに対する目標誤警報確率(PFA-target)に依存し得る。
【００３７】
次の用語は以下の説明で使用される。
Ec  -  セルにおける物理チャネル(たとえば、PICH)に対するチップあたりのエネルギー
Ep  -  セルにおけるパイロットチャネル(たとえば、CPICH)に対するチップあたりのエネルギー
Ior  -  セルにおけるダウンリンク信号の総送信電力スペクトル密度
Ioc  -  UEにおける他のセルからの干渉
Io  -  UEにおける総受信電力、Io=Ioc+Ior
No  -  UEにおけるノイズスペクトル密度
Nt  -  UEにおける総ノイズおよび干渉
【００３８】
UEは、セルからのSIB5を復号化することによりNpを得ることができる。UEが、SIB5を復号化しておらず、かつNpを知らない場合、UEは、Npに対するデフォルト値を使用することができる。ある設計では、デフォルト値18がNpに対して使用され得る。このデフォルト値は、おそらく、少数のUEにサービスを提供し、従って、Npに対して小さい値を持つことができる、フェムトセルに対して使用され得る。Npに対してデフォルト値18を使用することはまた、PICHに対する目標性能が達成され得ることを保証するために望ましい可能性がある、PICHに対するより控えめなパフォーマンスベース適合性基準をもたらし得る。
【００３９】
PICHに対する誤警報確率は、次式で表し得る。
【００４０】
【数１】
2016511616.tif 000003
【００４１】
【数２】
2016511616.tif 000004
【００４２】
ここで、SNRPICHは、PICHに対するSNRであり、また
PFAは、PICHに対する誤警報確率である。
【００４３】
式(6)は、UEにおける受信ダイバーシティを持たない加法的白色ガウス雑音(AWGN)チャネルにおけるPICHの理論的な検出性能を提供する。PICHのSNRは、次式で表すことができる。
【００４４】
【数３】
2016511616.tif 000005
【００４５】
ここで、(Ec/Ior)PICHは、PICHのチップあたりのエネルギー対総送信電力比であり、また
Gはジオメトリ、またはG=Ior/Iocを表す。
【００４６】
式(8)において、係数256は、PICHに対するビット当たり256チップを表し、係数144/  Npは、ページインジケータ当たりのビット数を表し、また(Ec/Ior)PICH・Gは、チップ当たりのSNRである。PICHのEc/Iorは、たとえば、おおよそ7dB、またはあるその他の量だけ、CPICHのEc/Iorより低い可能性がある。PICHのSNRは、以下に説明するように、(i)CPICHの測定されたEc/Iorおよび(ii)  CPICHのEc/IorとPICHのEc/Iorとの推定差に基づき推定され得る。
【００４７】
ジオメトリは、様々な方法で推定され得る。ある設計では、ジオメトリは、CPICHのEc/Iorがほぼ-10dBであることを仮定することにより推定され得る。UEは、自律的サーチ関数(ASF)検索を実行後にCPICHのEc/Ioを決定し、かつG=Ior/Ioc≒Nt/Iocとしてジオメトリを計算することができる。しかしながら、CPICHのEc/Iorは、特に、直交チャネルノイズシミュレータ(OCNS)がオフであるアイドルモードにおいて、仮定されたEc/Iorの-10dBと異なり得る。CPICHの想定Ec/Iorの誤りは、CPICHの想定Ec/Iorに基づき計算されるジオメトリ中に対応する誤りを招く可能性がある。
【００４８】
別の設計では、ジオメトリは、(Ec/Io)*(Nt/Io)に等しくなるように定義され得る、重み付けNt/Ioに基づき推定され得る。Ec/Ioは、Nt/Ioを得るために、重み付けされたNt/Ioで相殺され得る。この設計では、PICHのSNRは、次式で表され得る。
【００４９】
【数４】
2016511616.tif 000006
【００５０】
【数５】
2016511616.tif 000007
【００５１】
Nt≒Ioc    式(11)
【００５２】
式(9)、式(10)および式(11)を結合すると、PICHのSNRは次式で表され得る。
【００５３】
【数６】
2016511616.tif 000008
【００５４】
式(12)で定義されるPICHのSNRは、式(6)のSNRPICHに代入され得る。次いで、PICHの誤警報確率は、1つのPICHサブフレーム内のページインジケータの数(Np)、PICHのEc/IoおよびNt/Ioの関数であり得る。PICHの目標誤警報確率を提供することができる、PICHの最小SNR、SNRPICHminは、次式で表される。
【００５５】
【数７】
2016511616.tif 000009
【００５６】
式(12)および式(13)を結合すると、PICHの目標誤警報確率を提供することができる、CPICHの最小Ec/Io、(Ep/Io)minは、次式で表され得る。
【００５７】
【数８】
2016511616.tif 000010
【００５８】
(Ep/Io)minはまた、Qsnrmin、(Ep/Io)targetなどと呼ばれ得る。
【００５９】
パフォーマンスベースの適合性パラメータは、次式のように、(Qsnrmeasと呼ばれ得る)測定されたCPICHのEc/Ioおよび(Qsnrminと呼ばれ得る)CPICHの最小Ec/Ioに基づき定義され得る。
Ssnr=Qsnrmeas  -  Qsnrmin    式(15)
ここで、Qsnrmeasは、セルからの測定されたCPICHのSNR、
Qsnrminは、セルからのCPICHの最小要求SNR、
Ssnrは、セルに対するセル再選択SNRである。
【００６０】
パフォーマンスベースの適合性基準は、次式で定義され得る。
(Ssnr>0)    式(16)
式(16)におけるパフォーマンスベースの適合性基準は、実際上、測定されたCPICHのEc/Ioが最小CPICHのEc/Ioよりも大きいこととして定義される。
【００６１】
ある設計では、式(16)におけるパフォーマンスベースの適合性基準は、セルが適切なセルであるか否かを確認するために使用され得る。セルは、セルがワイヤレスシステムにより式(4)および式(5)で定義される適合性基準ならびに、式(16)のパフォーマンスベースの適合性基準を満たす場合、適切なセルであると見なされ得る。
【００６２】
別の設計では、最低品質閾値が、次式で定義され得る。
Qmin  =  max{Qqual  min,  Qsnr  min}    式(17)
【００６３】
次いで、適合性パラメータおよび適合性基準は、次式のように最低品質Qminに基づき定義され得る。
Squal  =  Qqualmeas  -  Qmin    式(18)
(Squal  >  0)    式(19)
【００６４】
セルが式(2)でワイヤレスシステムにより定義された適合性基準ならびに式(19)のパフォーマンスベースの適合性基準を満たす場合、セルは、適切なセルと見なされ得る。
【００６５】
明確にするために、PICHに対する目標誤警報確率に基づき定義されるパフォーマンスベースの適合性基準を上記に説明してきた。一般に、パフォーマンスベースの適合性基準は、UEにより受信される任意の物理チャネルに対して定義され得る。たとえば、パフォーマンスベースの適合性基準は、ブロードキャストチャネル、ページングチャネル、制御チャネル、データチャネルなどに対して定義され得る。さらに、パフォーマンスベースの適合性基準は、誤警報確率、検出確率、復号化確率などの任意の性能メトリックに基づき定義され得る。異なる物理チャネルは、異なる種類の情報を搬送することができ、異なる性能メトリックは、異なる種類の情報に適用され得る。
【００６６】
明確にするために、PICHに対する目標誤警報確率に基づき定義される単一のパフォーマンスベースの適合性基準が、上記に説明されてきた。一般に、任意の数のパフォーマンスベースの適合性基準が、UEにより受信される任意の数の物理チャネルおよび任意の数の性能メトリックに対して定義され得る。UEがセルに対する再選択を実行する場合にUEが良好な性能を得ることができるように、1つまたは複数のパフォーマンスベースの適合性基準が、セルに対して定義され得る。たとえば、第1のパフォーマンスベースの適合性基準は、PICHに対する目標誤警報確率に基づき定義され、また第2のパフォーマンスベースの適合性基準は、PCHに対する目標復号化確率に基づき定義され得る、など。
【００６７】
図3は、セル再選択を実行するためのプロセス300の設計を示す。プロセス300は、(以下に説明されるように)UEにより、またはある他のエンティティにより実行され得る。UEは、セルに対する測定値を得ることができる(ブロック312)。UEはまた、セルに対する閾値を決定することができる(ブロック314)。閾値は、ワイヤレスシステムによってブロードキャストされず、かつワイヤレスシステムとは独立にUEによって決定され得る。UEは、セルに対する測定値および閾値に基づきセルに対する適合性基準を決定することができる(ブロック316)。UEは、セルが適切なセルであるか否かを決定することができ、また、少なくとも適合性基準に基づきセルに対するセル再選択を実行するか否かを決定することができる(ブロック318)。セルは、CSG内の少なくとも1つのUEに対する通信をサポートするフェムトセルであり得る。セルはまた、マクロセル、ピコセル、小さいセル、またはある種の他の種別のセルであってもよい。
【００６８】
ブロック314のある設計では、UEは、UEにより受信される物理チャネルに対する目標性能に基づき閾値を決定することができる。たとえば、UEは、PICHに対する目標誤警報確率に基づき閾値を決定することができる。ある設計では、測定値および閾値が、UEにより受信される物理チャネルに対する目標性能に基づきパイロットチャネルに対して決定され得る。別の設計では、測定値および閾値が、UEにより受信される物理チャネルに対して決定され得る。
【００６９】
ある設計では、UEは、パイロットチャネル(たとえば、CPICH)の受信信号品質を測定することができ、この受信信号品質が、セルに対する測定値に相当し得る。UEはまた、たとえば、式(14)に示したように、パイロットチャネルに対する最低受信信号品質を決定することができ、この最低受信信号品質がセルに対する閾値に相当し得る。UEは、たとえば、式(16)に示したように、パイロットチャネルの測定された受信信号品質およびパイロットチャネルに対する最低受信信号品質に基づきセルに対する適合性基準を決定することができる。
【００７０】
UEは、UEにより受信された物理チャネルに対する少なくとも1つのパラメータに基づき、パイロットチャネルに対する最低受信信号品質を決定することができる。物理チャネルに対する少なくとも1つのパラメータは、(i)パイロットチャネルの送信電力とUEにより受信された物理チャネルの送信電力との差、(ii)セルに対するUEの推定ジオメトリ、および/または(iii)物理チャネルに対するその他のパラメータを含むことができる。物理チャネルは、PICHを含むことができる。少なくとも1つのパラメータは、PICHに対する目標誤警報確率、PICH上で送信されるページインジケータに対するビット数、などを含むことができる。UEは、(i)1つの無線フレーム内のPICH上で送信された最小ページインジケータ数、または(ii)ワイヤレスシステムから受信したシステム情報に基づきページインジケータに対するビット数を決定することができる。
【００７１】
別の設計では、UEは、たとえば、式(14)に示したように、UEにより受信された物理チャネルに対する目標性能を得るために、パイロットチャネルに対する最低受信信号品質(たとえば、Qsnrmin)を決定することができる。UEは、セルから受信したシステム情報からセルに対する最低要求品質レベル(たとえば、Qqualmin)を決定することができる。UEは、式(17)に示したように、パイロットチャネルに対する最低受信信号品質およびセルに対する最低要求品質レベルの大きい方に基づき閾値(たとえば、Qmin)を決定することができる。次いで、UEは、たとえば、式(18)および式(19)に示したように、閾値に基づきセルに対する適合性基準を決定することができる。
【００７２】
ある設計では、UEは、ワイヤレスシステムによりブロードキャストされた少なくとも1つの閾値を受信することができる。少なくとも1つの閾値は、最低要求品質レベル(たとえば、Qqualmin)に対応した第2の閾値、および/またはセルに対する最低要求受信レベル(たとえば、Qrxlevmin)に対応した第3の閾値を含むことができる。UEは、たとえば、式(4)および/または式(5)に示したように、ワイヤレスシステムによりブロードキャストされた少なくとも1つの閾値に基づき、セルに対する少なくとも1つの付加的適合性基準を決定することができる。次いで、UEは、さらに、少なくとも1つの付加的適合性基準に基づきセルに対するセル再選択を実行するか否かを決定することができる。
【００７３】
図4は、基地局/ノードB  410およびUE  450のブロック図を示す。基地局410は、図1のノードB  110からノードB  116のいずれかに対応し得る。UE  450は、図1のUE  130〜UE  136のいずれかに対応し得る。
【００７４】
基地局410において、モジュール412は、アイドルモードのUEに対してページインジケータを(たとえば、PICH上で)生成し、かつ送信することができる。モジュール414は、ダウンリンク上でパイロットチャネル(たとえば、CPICH)を生成し、かつ送信することができる。モジュール418は、セル再選択のための適合性基準を決定し、かつ送信することができる。適合性基準は、Qqualmin、Qrxlevminおよび/またはセル再選択のための適合性を決定するためにUEによって使用されるその他の閾値を含むことができる。モジュール420は、UEに対するセル再選択を実行することができる。たとえば、モジュール420は、基地局410によりサービスを提供されているセルに対して再選択するUEのハンドオーバを実行し、または容易にすることができる。送信機416は、ページインジケータ、パイロットチャネル、システム情報、制御情報、およびUEに対するデータを含むダウンリンク信号を生成することができる。受信機422は、制御情報およびUEにより送信されたデータを含むアップリンク信号を受信することができる。基地局410内の様々なモジュールは、上記のように動作することができる。制御装置/プロセッサ424は、基地局410内の様々な動作を指示することができる。メモリ426は、基地局410のためのデータおよびプログラムコードを格納することができる。
【００７５】
UE450において、モジュール454は、基地局410および/または他の基地局からパイロットチャネル(たとえば、CPICH)を受信することができ、かつ受信パイロットチャネルに対する測定を行うことができる。モジュール454は、セルからのパイロットチャネルおよび/または他の物理チャネルのSNRを判定することができる。モジュール456は、UE450に適用可能な(たとえば、PICH上で送られた)ページインジケータを検出することができる。モジュール460は、基地局410および/または他の基地局から適合性パラメータを受信することができる。モジュール462は、たとえば、式(4)および式(5)に示したような、受信した適合性パラメータに基づきセル再選択のための適合性基準を決定することができる。モジュール464は、1つまたは複数のパフォーマンスベース(perf-based)適合性閾値を決定することができる。たとえば、モジュール464は、たとえば、式(14)に示したように、PICHの目標性能および他のパラメータ、ならびにパイロットチャネルのSNRに基づきパフォーマンスベースの適合性閾値を決定することができる。モジュール466は、1つまたは複数の測定値および1つまたは複数のパフォーマンスベースの適合性閾値に基づき1つまたは複数のパフォーマンスベースの適合性基準を決定することができる。たとえば、モジュール466は、たとえば、式(15)および(16)に示したように、パイロットチャネルの測定SNRおよびパイロットチャネルに対するパフォーマンスベースの適合性閾値に基づきパフォーマンスベースの適合性基準を決定することができる。モジュール468は、(i)1つまたは複数の適合性閾値に基づき決定された1つまたは複数の適合性基準、および(ii)1つまたは複数のパフォーマンスベースの適合性閾値に基づき決定されたパフォーマンスベースの適合性基準に基づきUE450に対するセル再選択を実行することができる。モジュール468は、セルが適合性基準に基づく適切なセルであるか否かを判定し、かつUE450のサービス提供セルよりも良好である適切なセルへ再選択することができる。受信機452は、基地局410および他の基地局からのダウンリンク信号を受信することができる。送信機458は、UE450により送信される制御情報およびデータを含むアップリンク信号を生成することができる。UE450内の様々なモジュールは、上記に説明したように動作することができる。制御装置/プロセッサ470は、UE450内の様々なモジュールの動作を指示することができる。メモリ472は、UE450のためのデータおよびプログラムコードを格納することができる。
【００７６】
図4のモジュールは、プロセッサ、電子デバイス、ハードウェアデバイス、電子コンポーネント、論理回路、メモリ、ソフトウェアコード、ファームウェアコードなど、またはこれらの任意の組合せを含むことができる。
【００７７】
図5は、基地局/ノードB  510およびUE  550の設計のブロック図を示す。基地局510は、図1のノードB  110からノードB  116のいずれかに対応することができる。UE  550は、図1のUE  130からUE  136のいずれかに対応することができる。基地局510は、T個のアンテナ534aからアンテナ534tを装着することができ、UE550は、R個のアンテナ552aからアンテナ552rを装着することができ、一般にT≧1かつR≧1である。
【００７８】
基地局510において、送信プロセッサ520は、1つまたは複数のUEへの送信のためにデータソース512からデータを受け取り、これらのUEに対して選択された1つまたは複数の変調および符号化方式に基づき各UEに対するデータを処理(たとえば、符号化および変調)し、かつすべてのUEに対するデータシンボルを供給することができる。送信プロセッサ520はまた、システム情報および制御情報を処理し、制御シンボルを供給することができる。システム情報は、適合性パラメータ、適合性閾値などを含むことができる。プロセッサ520はまた、パイロットチャネル、たとえばCPICHに対するパイロットシンボルを生成することができる。送信(TX)多入力多出力(MIMO)プロセッサ530は、データシンボル、制御シンボルおよび/またはパイロットシンボル(該当する場合)を事前符号化し、かつT個の変調器(MOD)532aから変調器532tへT個の出力シンボルストリームを供給することができる。各変調器532は、出力サンプルストリームを得るために(たとえば、OFDMなどのための)変調器の出力シンボルストリームを処理する。各変調器532はさらに、ダウンリンク信号を得るために変調器の出力サンプルストリームを調整(たとえば、アナログへの変換、増幅、濾過およびアップコンバート)することができる。変調器532aから変調器532tからのT個のダウンリンク信号は、それぞれ、T個のアンテナ534aからアンテナ534tを介して送信され得る。
【００７９】
UE550において、アンテナ552aからアンテナ552rは、基地局510および/または他の基地局からダウンリンク信号を受信し、受信信号を、それぞれ、復調器(DEMOD)554aから復調器554rに供給することができる。各復調器554は、入力サンプルを得るために復調器の受信信号を調整(濾過、増幅、ダウンコンバートおよびデジタル化)することができる。各復調器554はさらに、受信シンボルを得るために(たとえば、OFDMなどのために)入力サンプルを処理することができる。MIMO検出器556は、R個の復調器554aから復調器554rのすべてから受信シンボルを得て、受信シンボル上でMIMO検出を実行し、かつ検出されたシンボルを供給することができる。受信プロセッサ558は、復号化されたデータ、制御情報およびシステム情報を得るために、検出されたシンボルを処理(たとえば、復調および復号化)することができる。受信プロセッサ558は、UE550用の復号化されたデータをデータシンク560に供給し、かつ復号化された制御情報およびシステム情報を制御装置/プロセッサ580に供給することができる。チャネルプロセッサ584は、受信信号品質、受信信号レベル、ならびに/またはパイロットチャネルおよび/または他の物理チャネルのその他のメトリックを測定することができる。制御装置580は、測定された受信信号品質、受信信号レベル、および/またはその他のメトリックならびに適合性閾値に基づきセルに対する適合性基準を判定することができる。制御装置580はまた、適合性基準に基づきセル再選択を実行することができる。
【００８０】
UE550において、アップリンク上で、送信プロセッサ564は、データソース562からのデータおよび制御装置/プロセッサ580からの制御情報(たとえば、セル再選択の決定)を受け取り、かつ処理することができる。プロセッサ564はまた、パイロットチャネルに対するパイロットシンボルを生成することができる。送信プロセッサ564からのシンボルは、該当する場合、TX  MIMOプロセッサ566により事前符号化され、さらに変調器554aから554rにより(たとえば、SC-FDM、OFDMなど用に)処理され、かつ基地局510に送信され得る。基地局510において、UE550および他のUEからのアップリンク信号は、アンテナ534により受信され、復調器532により処理され、該当する場合、MIMO検出器536により検出され、さらにUE550および他のUEにより送信された復号化されたデータおよび制御情報を得るために受信プロセッサ538により処理される。プロセッサ538は、復号化されたデータをデータシンク539に、かつ復号化された制御情報を制御装置/プロセッサ540に供給することができる。
【００８１】
制御装置/プロセッサ540および580は、基地局510およびUE550それぞれにおいて動作を指示することができる。UE550におけるプロセッサ580および/または他のプロセッサならびにモジュールは、図3のプロセス300および/または本明細書に記載の技術のための他のプロセスを実行または指示することができる。メモリ542およびメモリ582は、基地局510およびUE550それぞれのためのデータおよびプログラムコードを格納することができる。スケジューラ544は、ダウンリンクおよび/またはアップリンク上のデータ伝送のためにUEをスケジュールすることができる。
【００８２】
当業者は、情報および信号が、任意の様々な異なる技術および技法を使用して表現され得ることを理解できるであろう。たとえば、上述の説明を通して参照され得る、データ、命令、コマンド、情報、信号、ビット、シンボル、およびチップは、電圧、電流、電磁波、電界または粒子、光学場または粒子、あるいはこれらの任意の組合せにより表され得る。
【００８３】
当業者はさらに、本明細書の開示に関連して説明した様々な例示的論理ブロック、モジュール、回路、およびアルゴリズムステップが、電子的ハードウェア、コンピュータソフトウェア、または両者の組合せとして実装されることを理解するであろう。ハードウェアおよびソフトウェアのこの置換可能性を明確に示すために、様々な例示的コンポーネント、ブロック、モジュール、回路、およびステップは、これらの機能を用いて一般的に上記に説明されている。このような機能が、ハードウェアまたはソフトウェアとして実装されるか否かは、全体のシステムに課せられた特定の用途および設計制約条件に依存する。当分野の技術者は、それぞれの特定の用途に対して様々な方法で記載された機能を実装することができるが、このような実装判断は、本開示の範囲から逸脱を引き起こすと解釈されるべきではない。
【００８４】
本明細書の開示に関連して説明される様々な例示的論理ブロック、モジュール、および回路は、汎用プロセッサ、デジタルシグナルプロセッサ(DSP)、特定用途向け集積回路(ASIC)、フィールドプログラマブルゲートアレイ(FPGA)もしくは他のプログラマブル論理デバイス、ディスクリートゲートもしくはトランジスタロジック、ディスクリートハードウェアコンポーネント、または本明細書に記載の機能を実行するように設計されたこれらの任意の組合せで実装され、または実行され得る。汎用プロセッサは、マイクロプロセッサであり得るが、代替として、プロセッサは、任意の従来のプロセッサ、制御装置、マイクロコントローラ、またはステートマシンであってもよい。プロセッサはまた、コンピューティングデバイスの組合せ、たとえば、DSPおよびマイクロプロセッサの組合せ、複数のマイクロプロセッサ、DSPコアに関連した1つまたは複数のマイクロプロセッサ、または任意のその他のこのような構成として実装され得る。
【００８５】
本明細書の開示に関連して記載された方法およびアルゴリズムのステップは、ハードウェア中に直接、プロセッサにより実行されるソフトウェアモジュール中に、または両者の組合せ中に具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在することができる。例示的記憶媒体は、プロセッサが記憶媒体から情報を読み出す、および情報を書き込むことができるようにプロセッサに結合される。代替として、記憶媒体は、プロセッサに統合され得る。プロセッサおよび記憶媒体は、ASIC内に存在し得る。ASICは、ユーザ端末内に存在し得る。代替として、プロセッサおよび記憶媒体は、ユーザ端末内にディスクリートコンポーネントとして存在し得る。
【００８６】
1つまたは複数の例示的設計では、記載された機能は、ハードウェア、ソフトウェア、ファームウェア、またはこれらの任意の組合せ内に実装され得る。ソフトウェア内に実装される場合、機能は、1つまたは複数の命令またはコードとしてコンピュータ可読媒体上に格納または送信され得る。コンピュータ可読媒体は、コンピュータ記憶媒体およびある場所から別の場所へのコンピュータプログラムの転送を容易にする任意の媒体を含む通信媒体の両者を含む。記憶媒体は、汎用または特定用途向けコンピュータによりアクセスされ得る任意の利用可能な媒体であり得る。例として、限定するものではなく、このようなコンピュータ可読媒体は、RAM、ROM、EEPROM、CD-ROMもしくは他の光ディスク記憶装置、磁気ディスク記憶装置もしくは他の磁気記憶装置、あるいは、命令またはデータ構造の形で所望のプログラムコード手段を搬送するまたは格納するために使用され得る、かつ汎用もしくは特定用途向けコンピュータまたは汎用もしくは特定用途向けプロセッサによりアクセスされ得る、任意のその他の媒体を含むことができる。また、任意の接続は、正しくは、コンピュータ可読媒体と呼ばれる。たとえば、ソフトウェアがウェブサイト、サーバまたはその他の遠隔の情報源から同軸ケーブル、光ファイバーケーブル、撚り線対、デジタル加入者線(DSL)、または赤外線、無線およびマイクロウェーブなどのワイヤレス技術を使用して伝送される場合、同軸ケーブル、光ファイバーケーブル、撚り線対、DSL、または赤外線、無線およびマイクロウェーブなどのワイヤレス技術は、媒体の定義に含まれる。本明細書で使用されるように、ディスク(Disk)およびディスク(disc)は、コンパクトディスク(CD)、レーザディスク、光ディスク、デジタル多用途ディスク(DVD)、フロッピー(登録商標)ディスクおよびブルーレイ(登録商標)ディスクを含む。ここで、ディスク(disk)はデータを磁気的に再生する一方、ディスク(disc)はレーザで光学的にデータを再生する。上記の組合せもまた、コンピュータ可読媒体の範囲に含まれるべきである。
【００８７】
本開示のこれまでの説明は、当業者が開示されたものを作成するまたは使用することを可能にするために提供される。本開示に対する様々な修正は、当業者には容易に明らかであり、本明細書中で定義された一般的な原理は、本開示の精神または範囲から逸脱することなく他のバリエーションに適用され得る。従って、本開示は、本明細書に記載の実施例および設計に限定されるものではなく、本明細書に開示された原理および新規な特徴と一致する最も広い範囲を与えられるべきである。
【符号の説明】
【００８８】
110  マクロノードB
112a  マクロセル1
112b  マクロセル2
112c  マクロセル3
114  ピコノードB
116  ホームノードB
120  リレー
124  ピコセル
126  フェムトセル
140  システムコントローラ
410  基地局/ノードB
412  モジュール
414  パイロット送信モジュール
416  送信機
418  適合性パラメータ送信モジュール
420  セル再選択モジュール
422  受信機
424  制御装置/プロセッサ
426  メモリ
450  UE
452  受信機
454  パイロット受信および測定モジュール
456  ページインジケータ検出モジュール
458  送信機
460  適合性パラメータ受信モジュール
462  適合性基準決定モジュール
464  パフォーマンスベースの適合性決定モジュール
466  パフォーマンスベースの適合性基準決定モジュール
468  セル再選択モジュール
470  制御装置/プロセッサ
472  メモリ
512  データソース
520  送信プロセッサ
530  TX  MIMOプロセッサ
532a  変調器
532t  変調器
536  MIMO検出器
538  受信プロセッサ
539  データシンク
540  制御装置/プロセッサ
542  メモリ
544  スケジューラ
554a  変調器
554r  変調器
556  MIMO検出器
558  受信プロセッサ
560  データシンク
562  データソース
564  送信プロセッサ
566  TX  MIMOプロセッサ
580  制御装置/プロセッサ
582  メモリ
584  チャネルプロセッサ
【図１】
2016511616.tif 000011
【図２】
2016511616.tif 000012
【図３】
2016511616.tif 000013
【図４】
2016511616.tif 000014
【図５】
2016511616.tif 000015
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)によってセルに対する測定値を得るステップと、
前記UEによって受信された物理チャネルに対する目標性能に基づき、前記UEによって前記セルに対する閾値を決定するステップであって、前記閾値が、ワイヤレスシステムによってブロードキャストされず、かつ前記受信された物理チャネルに対する前記目標性能に基づき、前記ワイヤレスシステムと独立に前記UEによって決定されるステップと、
前記セルに対する前記測定値および前記閾値に基づき前記セルに対する適合性基準を決定するステップと、
前記適合性基準が適合しているか否かを決定するステップと、
前記適合性基準が適合していることを決定するステップに応答して前記セルに対するセル再選択を実行するステップと、
を含む、方法。
【請求項２】
前記測定値および前記閾値が、少なくとも部分的には前記セルにおける前記物理チャネルに対する、チップ当たりのエネルギー(Ec)およびUEにおける全受信電力(Io)に基づく、請求項1に記載の方法。
【請求項３】
前記閾値を決定する前記ステップが、ページインジケータチャネル(PICH)に対する目標誤警報確率に基づき前記閾値を決定するステップを含む、請求項1に記載の方法。
【請求項４】
前記測定値および前記閾値が、前記UEにより受信された前記物理チャネルに対する前記目標性能に基づきパイロットチャネルに対して決定される、請求項1に記載の方法。
【請求項５】
前記測定値を得る前記ステップが、前記セルに対する前記測定値に対応するパイロットチャネルの受信信号品質を測定するステップを含み、
前記閾値を決定する前記ステップが、前記セルに対する前記閾値に対応するパイロットチャネルに対する最低受信信号品質を決定するステップを含み、かつ
前記セルに対する前記適合性基準を決定する前記ステップが、前記パイロットチャネルの前記測定された受信信号品質および前記パイロットチャネルに対する前記最低受信信号品質に基づき、前記セルに対する前記適合性基準を決定するステップを含む、請求項1に記載の方法。
【請求項６】
前記パイロットチャネルに対する前記最低受信信号品質を決定する前記ステップが、前記UEによって受信された前記物理チャネルに対する少なくとも1つのパラメータに基づき、前記パイロットチャネルに対する前記最低受信信号品質を決定するステップを含む、請求項5に記載の方法。
【請求項７】
前記物理チャネルに対する前記少なくとも1つのパラメータが、前記パイロットチャネルの送信電力と前記UEによって受信された前記物理チャネルの送信電力との間の差を含む、請求項5に記載の方法。
【請求項８】
前記物理チャネルに対する前記少なくとも1つのパラメータが、前記セルに対する前記UEの推定ジオメトリを含む、請求項5に記載の方法。
【請求項９】
前記UEによって受信された前記物理チャネルが、ページインジケータチャネル(PICH)を含む、請求項5に記載の方法。
【請求項１０】
前記物理チャネルに対する前記少なくとも1つのパラメータが、前記PICHに対する目標誤警報確率を含む、請求項9に記載の方法。
【請求項１１】
前記物理チャネルに対する前記少なくとも1つのパラメータが、前記PICH上で送信されたページインジケータのビット数を含む、請求項9に記載の方法。
【請求項１２】
1つの無線フレーム内で前記PICH上に送信されるページインジケータの最小数に基づきページインジケータに対する前記ビット数を決定するステップ
をさらに含む、請求項11に記載の方法。
【請求項１３】
前記閾値を決定する前記ステップが、
前記UEにより受信された前記物理チャネルの前記目標性能を得るためにパイロットチャネルに対する最低受信信号品質を決定するステップと、
前記セルから受信したシステム情報から前記セルに対する最低要求品質レベルを決定するステップと、
前記パイロットチャネルに対する前記最低受信信号品質および前記セルに対する前記最低要求品質レベルに基づき前記閾値を決定するステップと、
を含む、請求項1に記載の方法。
【請求項１４】
前記ワイヤレスシステムによりブロードキャストされた少なくとも1つの閾値を受信するステップと、
前記少なくとも1つの閾値に基づき前記セルに対する少なくとも1つの付加的な適合性基準を決定するステップと、
さらに前記少なくとも1つの付加的な適合性基準に基づき前記セルに対するセル再選択を実行するか否かを決定するステップと、
をさらに含む、請求項1に記載の方法。
【請求項１５】
前記少なくとも1つの閾値が、前記セルに対する最小要求品質レベルに対応する第2の閾値、または前記セルに対する最小要求受信レベルに対応する第3の閾値、またはその両方を含む、請求項14に記載の方法。
【請求項１６】
前記セルが、Closed  Subscriber  Group(CSG)内の少なくとも1つのUEに対する通信をサポートしているフェムトセルを含む、請求項1に記載の方法。
【請求項１７】
ワイヤレス通信のための装置であって、
ユーザ機器(UE)によってセルに対する測定値を得て、
前記UEによって受信された物理チャネルに対する目標性能に基づき、前記UEによって前記セルに対する閾値を決定し、前記閾値が、ワイヤレスシステムによってブロードキャストされず、かつ前記受信された物理チャネルに対する前記目標性能に基づき、前記ワイヤレスシステムと独立に前記UEによって決定され、
前記セルに対する前記測定値および前記閾値に基づき前記セルの適合性基準を決定し、
前記適合性基準が適合しているか否かを決定し、かつ
前記適合性基準が適合していることを決定するステップに応答して前記セルに対するセル再選択を実行する、
ように構成された少なくとも1つのプロセッサを含む、ワイヤレス通信のための装置。
【請求項１８】
前記少なくとも1つのプロセッサが、ページインジケータチャネル(PICH)に対する目標誤警報確率、または前記PICH上で送信されるページインジケータに対するビット数、またはパイロットチャネルの送信電力と前記PICHの送信電力との間の差、またはこれらの組合せ、に基づき前記閾値を決定するように構成される、請求項17に記載の装置。
【請求項１９】
前記少なくとも1つのプロセッサが、前記UEにより受信された前記物理チャネルに対する前記目標性能に基づきパイロットチャネルに対する前記測定値および前記閾値を決定するように構成される、請求項17に記載の装置。
【請求項２０】
前記少なくとも1つのプロセッサが、
前記セルに対する前記測定値に対応する、パイロットチャネルの受信信号品質を測定し、
前記セルに対する前記閾値に対応する、前記パイロットチャネルに対する最低受信信号品質を決定し、かつ、
前記パイロットチャネルの前記測定された受信信号品質および前記パイロットチャネルに対する前記最低受信信号品質に基づき、前記セルに対する前記適合性基準を決定する、
ように構成される、請求項17に記載の装置。
【請求項２１】
ワイヤレス通信のための装置であって、
ユーザ機器(UE)によってセルに対する測定値を得るための手段と、
前記UEによって受信された物理チャネルに対する目標性能に基づき、前記UEによって前記セルに対する閾値を決定するための手段であって、前記閾値が、ワイヤレスシステムによってブロードキャストされず、かつ受信された前記物理チャネルに対する前記目標性能に基づき、前記ワイヤレスシステムと独立に前記UEによって決定される手段と、
前記セルに対する前記測定値および前記閾値に基づき前記セルに対する適合性基準を決定するための手段と、
前記適合性基準が適合しているか否かを決定するための手段と、
前記適合性基準が適合していることを決定するステップに応答して、前記セルに対するセル再選択を実行するための手段と、
を含む、ワイヤレス通信のための装置。
【請求項２２】
前記閾値を決定するための前記手段が、ページインジケータチャネル(PICH)に対する目標誤警報確率、または前記PICH上で送信されるページインジケータに対するビット数、またはパイロットチャネルの送信電力と前記PICHの送信電力との間の差、またはこれらの組合せ、に基づき前記閾値を決定するための手段を含む、請求項21に記載の装置。
【請求項２３】
前記測定値および前記閾値が、前記UEによって受信された前記物理チャネルに対する前記目標性能に基づきパイロットチャネルに対して決定される、請求項21に記載の装置。
【請求項２４】
前記測定値を得るための前記手段が、前記セルに対する前記測定値に対応する、パイロットチャネルの受信信号品質を測定するための手段を含み、前記閾値を決定するための前記手段が、前記セルに対する前記閾値に対応する、前記パイロットチャネルに対する最低受信信号品質を決定するための手段を含み、かつ前記セルに対する前記適合性基準を決定するための前記手段が、前記パイロットチャネルの前記測定された受信信号品質および前記パイロットチャネルに対する前記最低受信信号品質に基づき前記セルに対する前記適合性基準を決定するための手段を含む、請求項21に記載の装置。
【請求項２５】
コンピュータ可読媒体であって、
少なくとも1つのプロセッサに、ユーザ機器(UE)によってセルに対する測定値を得させるためのコードと、
前記UEによって受信された物理チャネルに対する目標性能に基づき、前記少なくとも1つのプロセッサに、前記UEによって前記セルに対する閾値を決定させるためのコードであって、前記閾値が、ワイヤレスシステムによってブロードキャストされず、かつ受信された前記物理チャネルに対する前記目標性能に基づき、前記ワイヤレスシステムと独立に前記UEによって決定されるコードと、
前記少なくとも1つのプロセッサに、前記セルに対する前記測定値および前記閾値に基づき前記セルに対する適合性基準を決定させるためのコードと、
前記少なくとも1つのプロセッサに、前記適合性基準が適合しているか否かを決定させるためのコードと、
前記適合性基準が適合していることを決定するステップに応答して、前記少なくとも1つのプロセッサに、前記セルに対するセル再選択を実行させるためのコードと、
を含む、コンピュータ可読媒体。
【国際調査報告】
2016511616.tif 000016
2016511616.tif 000017
2016511616.tif 000018